(57)【要約】【課題】照明器具の形態に関わらず、また既存、新設の区別なく、照明器具と独立した構成とし、照明器具に容易に寿命の告知機能を付加することができる照明監視装置及びそれを用いた照明装置を提供する。【解決手段】照明器具からの照射光を検知することで発電する太陽電池１５と；太陽電池１５が検知した照射光の照射時間を積算することにより照明器具の劣化状態を数値化する時間管理部１３ａと；時間管理部１３ａにおける劣化状態の数値が所定の値に達したときに寿命を告知する告知手段１４と；を具備し、時間管理部１３ａ及び告知手段１４を動作させる電力を、太陽電池１５が発電した電力でのみ供給し、電気的な外部との接続がなく独立して駆動する照明監視装置１１及びそれを用いた照明装置。【選択図】図２
2008235112.tif 000002
【特許請求の範囲】
【請求項１】
照明器具からの照射光を検知することで発電する太陽電池と；
前記太陽電池が検知した前記照射光の照射時間を積算することにより照明器具の劣化状態を数値化する時間管理部と；
前記時間管理部における劣化状態の数値が所定の値に達したときに寿命を告知する告知手段と；を具備し、
前記時間管理部及び前記告知手段を動作させる電力を、前記太陽電池が発電した電力でのみ供給し、電気的な外部との接続がなく独立して駆動することを特徴とする照明監視装置。
【請求項２】
前記告知手段が、ＬＥＤであることを特徴とする請求項１記載の照明監視装置。
【請求項３】
前記告知手段が、音声発生手段であることを特徴とする請求項１記載の照明監視装置。
【請求項４】
前記太陽電池により発電した電力を蓄えることができる蓄電池を備え、
前記時間管理部が、前記太陽電池が検知した前記照射光の照射時間と、前記照射光を検知しない非照射時間とを積算して劣化状態を数値化するものであって、前記照射時間及び前記非照射時間を積算するに際し、照射時間よりも非照射時間における劣化の進行度合いを低いものとして劣化状態を数値化することを特徴とする請求項１乃至３のいずれか１項記載の照明監視装置。
【請求項５】
前記太陽電池が透光性のものであって、前記太陽電池を介して光学的情報を認識できる構成としたことを特徴とする請求項１乃至４のいずれか１項記載の照明監視装置。
【請求項６】
前記時間管理部における劣化状態の数値及び前記告知手段における所定の値を変更、調整することができる入力手段を有することを特徴とする請求項１乃至５のいずれか１項記載の照明監視装置。
【請求項７】
照明器具と；
該照明器具の照射光を受光可能な位置に配置された請求項１乃至６のいずれか１項記載の照明監視装置と；
を具備することを特徴とする照明装置。
【発明の詳細な説明】
【技術分野】
【０００１】
本発明は、照明器具の寿命を告知する機能を有する照明監視装置及びそれを具備した照明装置に関する。
【背景技術】
【０００２】
従来、照明器具は一旦設置されると、使用可能である限り、その照明器具の劣化状況にかかわらず所定の年月を過ぎても使用されるケースが多く、この場合には部品の劣化等により照明器具の機能を十分に発揮できなくなっても使用される事があった。その為に照明器具を適正に使用するためには器具の寿命を積極的に告知する方法が必要である。
【０００３】
このような問題を解決するために、照明器具の寿命を告知するものとしては、器具本体が保持するランプからの光量を求めて、その光量が所定値に達すると器具本体の寿命末期であることを通知する照明器具が知られていた（例えば、特許文献１参照。）。
【特許文献１】特開２００６−２３６７１６号公報
【発明の開示】
【発明が解決しようとする課題】
【０００４】
しかしながら、このような照明器具の寿命検知をする方法としては、照明器具側の機能として付加されるものであり、この場合、照明器具への特別な取付構造が必要であり、既存の照明器具への追加は困難であった。
【０００５】
また、取付構造を設ける場合においても、照明器具は形状や種類等、様々な形態をとっている現状を考慮すると、電力供給の問題や接続インターフェース等の共通のプラットフォームとすることが困難である等の理由により安価に構築する事が難しい。
【０００６】
そこで、本願発明は、上記事由に鑑み、照明器具の形態に関わらず、また既存、新設の区別なく、照明器具と独立した構成とし、照明器具に容易に寿命の告知機能を付加することができる照明監視装置及びそれを用いた照明装置を提供することを目的とする。
【課題を解決するための手段】
【０００７】
請求項１記載の照明監視装置は、照明器具からの照射光を検知することで発電する太陽電池と；太陽電池が検知した照射光の照射時間を積算することにより照明器具の劣化状態を数値化する時間管理部と；時間管理部における劣化状態の数値が所定の値に達したときに寿命を告知する告知手段と；を具備し、時間管理部及び告知手段を動作させる電力を、太陽電池が発電した電力でのみ供給し、電気的な外部との接続がなく独立して駆動することを特徴とするものである。
【０００８】
照明器具は、光を外部に照射するランプを有する一般的に用いられているものであれば特に限定されるものではない。この照明器具のランプから照射される照射光を後述する太陽電池で受光して、照明監視装置の各構成要素を動作させることにより、装置を独立して駆動させるものである。
【０００９】
太陽電池は、照明器具から照射される照射光により発電し、各構成要素を動作することが可能な電力を供給することができるものであれば特に限定されるものではなく、公知の太陽電池、例えば、結晶シリコンやアモルファスシリコンを用いたシリコン型、ＧａＡｓ系、ＣＩＳ系（カルコパイライト系）等の化合物型、色素増感型等の太陽電池が挙げられる。また、太陽電池自体が光を透過しないものが多いが、酸化物透明半導体による透光性タイプのものを用いることもできる。
【００１０】
時間管理部は、太陽電池が照射光を検知して発電した時間をカウントし、それを積算することにより照明器具が照射光を浴びている時間により照明器具の劣化状態を数値化するものである。
【００１１】
告知手段は、時間管理部により算出された劣化状態の数値を、告知手段に設定されている寿命の告知を行う所定の値とを比較して、劣化状態の数値が所定の値に達したときに外部へ告知するものである。
【００１２】
また、所定の値は、劣化状態の数値がこの値に達したときに照明器具の寿命が到来したことを判断するための基準値であり、使用する照明器具の材質、設置環境や照射光の強度等により適宜設定されるものである。
【００１３】
実際に外部への告知を行う告知手段は、発光手段、音声発生手段等により行えばよく、このとき用いる発光手段としては、ＬＥＤ、電球等が挙げられ、また音声発生手段としては、ブザー、スピーカ、振動板等が挙げられる。なお、振動板は、それ自体が振動することにより、振動板が照明監視装置の接地面を振動させて音声を生じさせるものや、振動板の振動に共鳴して音声を発する共鳴型のものが挙げられる。
【００１４】
このような構成とすることにより、請求項１記載の発明は、太陽電池に照射光が照射されて発電し、照射光が照射されている時間を監視するための電力を太陽電池のみから供給して、照明監視装置を動作させることができる。また、照射光の照射時間を積算することで、照明器具の寿命を監視することができる。なお、電力を太陽電池のみから供給して、とは太陽電池で発電した電力を一旦、コンデンサや蓄電池に蓄えて、コンデンサや蓄電池から電力を供給する態様であってもよい。
【００１５】
請求項２記載の照明監視装置は、請求項１記載の照明監視装置において、告知手段が、ＬＥＤであることを特徴とし、請求項３記載の照明監視装置は、請求項１記載の照明監視装置において、告知手段が、音声発生手段であることを特徴とするものである。
【００１６】
このような構成とすることにより、請求項２のようにＬＥＤとした場合には、視覚に訴えて寿命を告知することができ、請求項３のように音声発生手段とした場合には、聴覚に訴えて寿命を告知することができる。
【００１７】
請求項４記載の照明監視装置は、請求項１乃至３のいずれか１項記載の照明監視装置において、太陽電池により発電した電力を蓄えることができる蓄電池を備え、時間管理部が、太陽電池が検知した照射光の照射時間と、照射光を検知しない非照射時間とを積算して劣化状態を数値化するものであって、照射時間及び非照射時間を積算するに際し、照射時間よりも非照射時間において劣化の進行度合いを低いものとして劣化状態を数値化することを特徴とするものである。
【００１８】
蓄電池は、太陽電池が発電した電力を蓄積することができるものであれば特に限定されないが、本発明の照明監視装置は様々な形状や大きさの照明装置に設置する事が想定されるため、可能な限り小型で薄型のものが好ましい。
【００１９】
ここで、蓄電池を設けた場合には、照明器具からの照射光を検知した場合、照明器具からの照射光は検知しないが外光を検知した場合、のいずれにおいても太陽電池により発電された電力を蓄えることができるため、照射光を検知していない場合にも、蓄電池から電力供給を行い、照明監視装置の各構成要素を動作させることができる。
【００２０】
したがって、太陽電池が照明器具からの照射光を検知している照射時間だけでなく、太陽電池が照明器具からの照射光を検知していない非照射時間をも考慮して劣化状態を数値化することができ、照明器具の寿命をより正確に判断することができる。このとき、照射時間と非照射時間との区別は、例えば、照明監視装置の設置がランプから数ｃｍ程度の場所に設置しておけば、外光に比べランプからの照射光の光強度の方が高くなるため、太陽電池において発電する時間当たりの電力量により明確に区別することができる。
【００２１】
また、照明器具の劣化の進行度合いは、通常、照射時間よりも非照射時間の方が低いため、それぞれを積算する際に、例えば、照射時間においてはαという係数を用い、非照射時間においてはβという係数を用いて、補正しながら積算して劣化状態の数値を算出するようにすればよい。このとき、α＞βの関係となっており、それぞれ使用する照明器具、設置環境、使用するランプの光強度等により適宜決定すればよく、α又はβを１とすることが数値の算出式を簡便にする点で好ましい。
【００２２】
このような構成とすることにより、請求項４記載の発明は、照明器具からの照射光がなくても照明監視装置を動作させることができ、さらに、照射時間と非照射時間をそれぞれ監視するようにすれば、より正確な寿命を判定するように構成することもできる。
【００２３】
請求項５記載の照明監視装置は、請求項１乃至４のいずれか１項記載の照明監視装置において、太陽電池が透光性のものであって、太陽電池を介して光学的情報を認識できる構成としたことを特徴とするものである。
【００２４】
光学的情報報は、機器情報として、通常、照明器具に取り付けられる銘板情報や、一次元コード、二次元コード等の視認できる又は光学機器により読み取ることができる情報等が挙げられる。なお、銘板情報とは、器具の型番やその他器具の基本情報を表示するものとして貼付されるものである。一次元コード及び二次元コードも同種の情報を担持させたものであり、一次元コードとしてはバーコード等が挙げられ、二次元コードとしてはＱＲコード等の二次元バーコード等が挙げられる。
【００２５】
このような構成とすることにより、請求項５記載の発明は、照明監視装置に光学的情報を重ねて設置することができる。
【００２６】
請求項６記載の照明監視装置は、請求項１乃至５のいずれか１項記載の照明監視装置において、時間管理部における劣化状態の数値及び告知手段における所定の値、劣化状態の数値及び告知する所定の値を変更、調整することができる入力手段を有することを特徴とするものである。
【００２７】
入力手段は、時間管理部における劣化状態の数値及び告知手段における所定の値を任意に設定したり、リセットしたりすることができるものである。
【００２８】
劣化状態の数値は、照明時間又は照明時間及び非照明時間をそれぞれの劣化度合いを考慮して積算することにより数値化されるものであるが、そのときの使用環境や使用するランプの照射光の強度により、劣化状態の進行度合いを適宜設定することが好ましく、入力手段を設けることで劣化状態の判断をより正確に行うことを可能とすることができる。
【００２９】
また同様に、所定の値は、上記劣化状態の数値がこの値に達したときに照明器具の寿命が到来したことを判断するための基準値であり、使用する照明器具の種類、使用環境、照射光の強度により適宜設定されるものであるが、この所定の値は、新設の照明器具に取りけられる場合は、その照明器具の寿命として予め設定したものとしておけばよいが、既存の照明器具に取り付ける場合には、それまでの使用時間、環境等を考慮して、適宜設定する必要があるため、このように入力手段を設けることが柔軟に適用可能とする点で好ましい。
【００３０】
さらに、上記では、照明器具の寿命を設定し告知するようにしているが、これとは別に、ランプの寿命を設定し、告知するようにすれば、照明器具とランプの寿命を同時に監視することができる。これは、時間管理部のメモリに両者の寿命を設定すればよく、これにより、ランプの交換の度にランプ寿命はリセット操作を行い、照明器具の寿命はそのまま継続して積算処理を行うことで照明器具及びランプの機能を常に有効に発揮させながら使用することができる。
【００３１】
そして、この設定を行うために、時間管理部の劣化状態の数値及び告知手段における所定の値を変更、調整することができる入力手段を設けるが、これは照明監視装置に直接設けても良いし、照明監視装置にＩＣタグ等のＲＦタグを設け、外部からリーダ／ライタにより書き換えられるようにしたＲＦＩＤシステムを利用しても良い。ＲＦＩＤを用いる場合には、外部からユーザが数値の設定を容易に行うことができ、劣化状態の度合いを任意の時期に積極的に確認することもできる。
【００３２】
このような構成とすることにより、請求項６記載の発明は、照明器具の使用状況に応じて劣化状態の数値や寿命を判断する所定値を任意に設定したり、初期状態とすることができる。また、ランプの寿命に関する監視を行うようにして、照明装置とそれに使用されているランプの寿命を、同時に監視することができる。
【００３３】
請求項７記載の照明装置は、照明器具と；該照明器具の照射光を受光可能な位置に配置された請求項１乃至６のいずれかの照明監視装置と；を具備することを特徴とするものである。
【００３４】
照明装置は、上記した照明器具に本発明の照明監視装置を取り付けたものであり、照明器具としては、上記説明したのと同様に一般的に用いられているものであれば特に限定されるものではない。
【００３５】
このような構成とすることにより、請求項７記載の発明は、照明装置自身の寿命を正確に判定、告知する機能を有する照明装置を提供することができる。
【発明の効果】
【００３６】
請求項１記載の発明によれば、監視対象である照明器具からの照射光により電力が供給でき、照明器具とは独立して動作するため、照明器具の照射光を受光できる箇所であれば、新規設置の照明器具だけでなく既存の照明器具にも後付で容易に設置する事ができる。
【００３７】
請求項２記載の発明によれば、寿命の告知をＬＥＤで行うため、ＬＥＤの点灯の有無を視覚により容易に確認することができる。
【００３８】
請求項３記載の発明によれば、寿命の告知を音声で行うため、照明器具の全体がカバーで覆われている等、照明監視装置が視認できない場所でも使用することができ、取付場所や照明装置の形態を選ばない。
【００３９】
請求項４記載の発明によれば、照明器具のランプが消灯している場合の経年劣化をも考慮するため実際の照明器具の寿命により近い寿命告知を行うことができ、照明器具の使用時間の多少にかかわらずより正確に寿命告知を行うことができる。
【００４０】
請求項５記載の発明によれば、通常必要な照明機器情報を照明監視装置が担持するため、設置場所もとらず、外観上も従来の照明器具と違和感なく設置する事ができる。
【００４１】
請求項６記載の発明によれば、入力手段を設ける事により、告知のタイミングを照明器具の使用状況等に合わせて設定することができ、新設／既存を問わず照明器具の寿命をより正確に告知することができる。
【００４２】
請求項７記載の発明によれば、本発明の照明監視装置が照明装置に具備されており、照明装置自体の寿命を正確に判断し、告知することができる。
【発明を実施するための最良の形態】
【００４３】
以下、本発明を図面を参照しながら詳細に説明する。
【００４４】
（第１の実施形態）
図１は、第１の実施形態における照明監視装置の概略断面図であり、図２は、第１の実施形態における照明監視装置の構成ブロック図である。
【００４５】
図１及び図２において、１１は照明監視装置であり、この照明監視装置１１は、基板１２上にＩＣチップ１３及び告知手段１４が形成され、さらにＩＣチップ１３を基板１２と挟むようにし、かつ、照明器具からの照射光を受光できるように太陽電池１５が形成されて構成されている。
【００４６】
ここで、基板１２は、電子素子等の他の構成要素を電気的に接続し、固定している回路基板であり、その片面（回路装置を設けていない面）は、照明器具への固定を行うための固定部とすることができる。この固定部は図示していないが、例えば、粘着式又は磁気式のシールや接着剤層、粘着剤層等の公知の固定手段を設けて、照明器具へ固定することができるようになっていればよい。
【００４７】
また、ＩＣチップ１３は、照明器具からの照射光の照射時間をカウントし、照射時間を積算して総照射時間を表す積算値（劣化状態の数値）を算出する時間管理手段１３ａと、その時間管理手段１３ａにより算出された劣化状態を表す数値を、照明器具の寿命として設定された所定値と比較して、時間管理手段１３ａによる積算値が所定値に達しているか否かを判定する判定手段１３ｂという２つの機能を有している。
【００４８】
より具体的には、時間管理手段１３ａは、例えば、クロック部、カウンタ、メモリ部から構成されるようにすればよい。ここで、クロック部は、基準信号を発振するクロック発振器であり、カウンタは、クロック部が発振するクロック信号に基づいて時間経過をカウントするタイマーであり、メモリ部は、書き換え可能かつ不揮発性メモリにより実現されるメモリであって、照明器具の劣化状態を示すカウント値を積算しながら随時書き換えて記憶するようになっている。このメモリ部は、太陽電池１５からの電力供給が止まった場合でも記憶データを保持する機能を持っており、太陽電池１５が照明器具からの照射光を受光して動作を開始すると既に記憶している積算値に対してカウント値を足し合わせ積算値を更新していくものである。
【００４９】
そして、判定手段１３ｂは、時間管理手段１３ａにより算出された積算値と判定手段１３ｂに設定された寿命を表す所定値とを比較し、積算値が所定値に達しているか否かで次のような動作をさせるものである。すなわち、積算値が所定の値に達していないと判定した場合には、そのまま積算処理を継続して行うものであり、所定の値に達していると判定した場合には、外部へ照明器具の寿命が来たことを知らせるために告知手段１４にトリガー信号を送出する。
【００５０】
告知手段１４は、例えば、ＬＥＤ等の発光手段やブザー等の音声発生手段等のユーザに寿命を知らせる手段を備えたユーザーインターフェースであり、判定手段１３ｂからトリガー信号を受けると、例えば、ＬＥＤを発光させたり、ブザーを鳴動させたりしてユーザに照明器具１の寿命の到来を知らせるものである。
【００５１】
このとき、例えば、ＬＥＤ点灯やブザー鳴動用の電池を別で設けておけば、任意の時間にＬＥＤを点灯させることができ、特に、太陽電池１５が発電できない場合には周囲が暗く、ＬＥＤの点灯が目立つため、照明が消灯した瞬間にＬＥＤを点灯させたり、照明が消灯されてから、次回使用される時間を予め設定しておき、その使用前に点灯して告知させるように設定しておいてもよい。
【００５２】
また、太陽電池１５は、照明器具からの照射光により発電するものであり、この発電により得られた電力を時間管理手段１３、告知手段１４に供給して動作させるものである。この太陽電池１５は、それが照明器具から照射光を受光している際に、時間管理手段１３ａを動作させるものであり、監視する照射光の照射時間がそのまま時間管理手段１３ａの動作時間となるものであるため、センサとしても機能しており、このように構成することにより部品点数を少なくすることができ、独立した照明監視手段として小型化を図ることができ好ましい。
【００５３】
なお、照明器具を消灯した場合においても、外光を受光することで太陽電池１５を動作させることが可能となる場合もあるが、照明器具からの照射光と外光とは、照明監視装置１１が照明器具に取り付けられる際には、ランプから数ｃｍ程度という近距離に設置されるため、通常、照明からの光強度が高いため、太陽電池１５の発電量が外光とは異なり区別することができる。
【００５４】
次に、図２を参照して、この実施形態の照明監視装置１１の動作を説明する。
【００５５】
まず、照明器具が使用されると、照明器具からの照射光を太陽電池１５が受光し、時間管理手段１３ａ、判定手段１３ｂ、告知手段１４に太陽電池１５から電力が供給され、それぞれ動作可能となる。
【００５６】
動作可能となった時間管理手段１３ａは、クロック部が基準信号の生成を開始し、この生成した基準信号をカウンタや他の論理回路に与える。基準信号が生成されると、カウンタは所定のカウントを開始し、メモリ部にカウント値を記録していく。カウンタがカウント値をメモリ部に記録するのは、太陽電池１５からの電力供給がなくなった場合（ユーザが照明器具を消灯した場合）に最後のカウント値を記憶して照明器具の総点灯時間を得る為である。
【００５７】
判定手段１３ｂは、時間管理手段１３ａで算出された積算値と、メモリ部に予め設定されている寿命を表す所定の値とを比較し、積算値が所定値に達していない場合には、そのまま時間管理手段１３ａによるカウントを継続させ、積算値が所定値に達している場合には、トリガー信号を告知手段１４に送出する。
【００５８】
トリガー信号を受けた告知手段１４は、例えば、ＬＥＤを点灯させてユーザに寿命時間が経過したことを告知する。このＬＥＤを点灯させる告知のタイミングは、判定手段１３ｂにより所定の値に達してすぐに告知させてもよいし、所定の値に達した後、所定の時間経過した後や、一旦照明器具が消灯されて、次に点灯されたときに行ったりするなど、任意に設定することができる。ただし、ＬＥＤを点灯させるための電力を供給しなければならないため、太陽電池からのみ電力が供給される場合には太陽電池が発電している場合に告知させるように設定する。
【００５９】
（第２の実施形態）
図３は、第２の実施形態における照明監視装置の概略断面図である。
【００６０】
図３において、３１は照明監視装置であり、この照明監視装置３１は、基板３２上にＩＣチップ３３が形成され、基板３２のＩＣチップ３３が設けられていない面には、振動型の音声発生手段３４が設けられている。さらにＩＣチップ３３を基板３２と挟むようにし、かつ、照明器具からの照射光を受光できるように太陽電池３５が形成されている。
【００６１】
この実施形態においては、第１の実施形態における告知手段を振動型の音声発生手段とし、その配置位置も変更した以外は第１の実施形態と同様の構成である。
【００６２】
この音声発生手段３４は、振動型のものであり、照明監視装置３１を照明器具へ設置、固定する場合に照明器具と直接接地させるものである。このようにすると、振動型の音声発生手段は、外部への告知を行う際に、自身が振動し、この振動が接地している照明器具に伝わり、その接地面をも振動させてスピーカの代用とすることで音声を生じさせるものである。
【００６３】
音声により外部への告知を行う場合には、照明監視装置３１自体が外部から認識されない場合、例えば、照明器具が外部をカバーで覆うものであり、照明監視装置３１はカバー内へ設置されるようなときには、ＬＥＤ等の光による告知が認識されづらくなるため有効である。
【００６４】
（第３の実施形態）
図４は、第３の実施形態における照明監視装置の概略断面図であり、図５は第３の実施形態における照明監視装置の構成ブロック図である。
【００６５】
図４において、４１は照明監視装置であり、この照明監視装置４１は、基板４２上にＩＣチップ４３及び告知手段４４が形成され、さらにＩＣチップ４３を基板４２と挟むようにし、かつ、照明器具からの照射光を受光できるように太陽電池４５が形成されている。また、基板４２上には太陽電池４５が発電した電力を蓄えることができる蓄電池４６が設けられている。
【００６６】
この実施形態においては、第１の実施形態において、蓄電池４６を追加して設けた以外は、第１の実施形態と同様の構成である。
【００６７】
蓄電池４６は、太陽電池４５で発電された電力を蓄積することができるものであり、照明器具からの照射光により他の構成要素を動作させるほかに、余分な電力を蓄えることもできる。このように蓄電池４６を設けることによって、太陽電池４５で発電した電力を蓄えておき、太陽電池４５が照射光を受光しなくなったときでも蓄電池４６から電力供給を行うようにして照明監視装置を動作させることができる。
【００６８】
次に、図５を参照して、この実施形態の照明監視装置４１の動作を説明する。
【００６９】
まず、照明器具が使用されると、照明器具からの照射光を太陽電池４５が受光し、充電回路４７が、時間管理手段４３ａ、判定手段４３ｂ及び告知手段４４に太陽電池４５から電力が供給され、それぞれを動作可能とし、余分な電力は蓄電池４６に蓄えるようにする。
【００７０】
動作可能となった時間管理手段４３ａは、クロック部が基準信号の生成を開始し、この生成した基準信号をカウンタや他の論理回路に与える。基準信号が生成されると、カウンタは所定のカウントを開始し、メモリ部に積算値を記録していく。
【００７１】
判定手段４３ｂは、時間管理手段４３ａで算出された積算値と、メモリ部に予め設定されている寿命を表す所定の値とを比較し、積算値が所定値に達していない場合には、そのまま時間管理手段４３ａによるカウントを継続させ、積算値が所定値に達している場合には、トリガー信号を告知手段４４に送出する。
【００７２】
トリガー信号受けた告知手段４４は、例えば、告知手段を作動させてユーザに寿命時間が経過したことを告知する。この告知手段４４を作動させるタイミングは、判定手段４３ｂにより所定の値に達してすぐに告知させてもよいし、所定の値に達した後、所定の時間経過した後や、一旦照明器具のランプが消灯されて、次にランプが点灯されたときに行ったりするなど、任意に設定することができる。ここで、告知手段４４を作動させるための電力は蓄電池からも供給することができるため任意のタイミングで寿命を告知させることができる。
【００７３】
また、上記説明では、時間管理手段４３ａによりカウントする積算値は、太陽電池４５が照明光を受光している場合のみであるが、これを太陽電池４５が照明光を受光していない場合にも時間管理手段４３ａを動作させ、積算値を算出するようにすることが好ましい。
【００７４】
これは、照明器具は照射光の受光のみにより劣化するものではなく、照射光を受光していない場合においても経年変化による劣化が生じているものであり、その両者を考慮することにより、より照明器具の寿命を正確に判断しようとするものである。
【００７５】
したがって、このような構成とする場合には、太陽電池４５が検知した照射光の照射時間と、照射光を検知しない非照射時間とを用い、これらを積算することにより劣化状態を正確に数値化するものである。このとき、照射時間と非照射時間とを積算する際には、それぞれ劣化の進行度合いが異なっているため、照射時間のカウント値にはα、非照射時間のカウント値にはβという係数を掛けて補正してから積算するようにする。ここでαとβは、通常、α＞βの関係を満たすものであり、これは、すなわち、照射時間よりも非照射時間において照明器具の劣化の進行度合いは低いものとして寿命を判定するものである。この係数は、その使用状況や、照明器具の設置状況等により異なるものであり、適宜設定すればよいが、例えば、αを１として、βを１より小さいものとするか、βを１として、αを１より大きいものとすれば計算が容易であり好ましい。
【００７６】
なお、このとき、非照射時間においては、照明器具からの照射光はないが、外光により太陽電池４５が発電可能である場合もあり、このとき発電した電力を照明監視装置４１の各構成要素の動作に用いたり、それのみでは動作に必要な電力が得られない場合は、蓄電池４６に蓄えられていた電力を用いるようにして効率よく安定して照明監視装置４１の動作を行うものである。
【００７７】
なお、第１の実施形態で説明したように照明器具からの照射光の有無は太陽電池４５の発電する電力量で判断可能であるが、これは照明監視装置４１を設置した時点において、ユーザが照射光の光強度を照明監視装置４１に記録するようにすることが好ましい。このようにすると、照射光の照射、非照射の判断を正確に行うことができる。また、照明器具は使用により光強度が低下していくため、それを考慮して、記録した光強度に対して所定の範囲の光強度であれば、照射光を受光していると判断し、それ以外の場合には照射光を受光していないと判断するようにしてもよい。また、より正確に照射光と外光とを区別するために、照明器具を使用する際に光強度を都度確認しながら照射光からの光強度のレベルを補正して、照射光か外光かの区別をするようにしてもよい。
【００７８】
（第４の実施形態）
図６は、第４の実施形態における照明監視装置の概略断面図である。
【００７９】
図６において、６１は照明監視装置であり、この照明監視装置６１は、基板６２上にＩＣチップ６３及び告知手段６４が形成され、さらにＩＣチップ６３を基板６２と挟むようにし、かつ、照明器具からの照射光を受光できるように太陽電池６５が形成されている。また、基板６２上には太陽電池６５が発電した電力を蓄えることができる蓄電池６６が設けられ、太陽電池６５とＩＣチップ６３や蓄電池６６との間には銘板情報６７や、一次元バーコード６８の情報が、太陽電池を介して光学的に情報を認識可能なように配置されている。
【００８０】
この実施形態においては、第３の実施形態において、太陽電池６６が透光性の太陽電池であり、銘板情報６７や一次元バーコード６８を太陽電池６５を介して外部からその存在を視認することができ、光学的に情報を認識できるようになっている。
【００８１】
このような構成とすれば、照明監視装置６１と、通常器具に貼付する銘板情報６７や一次元バーコード６８とを共有することができ、照明器具の反射板等の機能を阻害する要素を小さくし、スペースを有効に活用することができる。
【００８２】
（第５の実施形態）
図７は、第５の実施形態における照明監視装置の概略断面図である。
【００８３】
図７において、７１は照明監視装置であり、この照明監視装置７１は、基板７２上にＩＣチップ７３及び告知手段７４が形成され、さらにＩＣチップ７３を基板７２と挟むようにして太陽電池７５が形成され、基板７２上には太陽電池７５が発電した電力を蓄えることができる蓄電池７６が設けられており、また、ＩＣチップ６３上にはＲＦタグ７７が設けられている。
【００８４】
この実施形態においては、第３の実施形態において、ＲＦタグ７７が設けられ、外部からリーダ／ライタによる通信が可能になっている以外は、第３の実施形態と同様の構成である。
【００８５】
このＲＦタグ７７は、時間管理手段により算出される積算値や、判定手段により寿命の比較の基準となる所定値を任意に設定したり、リセットしたりする操作を、これと通信可能なリーダ／ライタにより外部から行うことができるようになっている。
【００８６】
照明監視装置７１は、独立して使用可能であるため、新設、既存の区別なく照明器具に設置して使用することができるが、既存のものに使用する場合には、既に使用されている期間があるため、その期間を考慮して寿命を判断する所定値を設定したり、また、一度照明監視装置７１を使用していたが、別の照明器具に使用する場合には、時間管理手段による積算値をリセットして０から新たにカウントするようにしたりすることがリーダ／ライタにより外部から容易に行うことができる。
【００８７】
また、このような入力手段であるＲＦタグ７７を設け、時間管理手段、判定手段及び告知手段において、照明器具の寿命の他に、照明器具で使用しているランプの寿命を管理するように２種類の積算値を管理するようにしてもよい。このようにすれば照明器具の寿命を積算する機能とは別に、ランプの寿命を積算する機能も有するため、それぞれの寿命を独立して管理することができる。ランプを交換した際には、ランプの積算値のみリセットして、照明器具の積算値はそのまま積算するようにして、ランプの積算値はランプの寿命を決定する所定の値と、照明器具の積算値は照明器具の寿命を決定する所定の値と、それぞれ比較して、寿命が到来したか否かを判断し、外部に告知するようにすれば良い。このとき、外部への告知は、ランプの寿命と照明器具の寿命と、いずれの寿命が告知されているのかを区別することができるように、ＬＥＤの場合、点灯と点滅や、点滅間隔の長さ等、ブザーの場合、音声の長さ、繰り返し回数等により区別できるようにしたり、それぞれ専用の告知手段を設けてもよい。
【００８８】
また、ＲＦタグ７７を用いる場合には、外部からの操作だけでなく、内部情報を確認するのも、リーダ／ライタにより行うことができる。すなわち、現在の積算値を確認し、所定値に達するまでどの程度の時間があるのかをリーダ／ライタにより確認することができるため、ユーザが任意のタイミングで劣化状況を積極的に確認することができる。なお、ＲＦタグ７７は、ＩＣチップ７３と機能を共有させて１つのＩＣチップを用いるようにして構成を簡略化することもできる。
【００８９】
上記説明したように本実施形態ではＲＦタグ７７を設けて、外部から操作を行うようにして構成しているが、入力手段を照明監視装置に直接設けて、劣化状態の数値や所定値を任意に設定したり、リセットしたりできるように構成してもよい。
【００９０】
そして、本発明の照明装置は、上記実施形態で説明したような本発明の照明監視装置を照明器具に取り付けてなるものであり、例えば、図８に示したような照明装置とすればよい。図８は、本発明の照明装置を例示した斜視図である。
【００９１】
図８において、８１は照明装置であり、この照明装置８１は、ランプ８２を備えた照明器具８３と、本発明の照明監視装置８４と、を具備してなるものである。照明器具８３は、ランプ８２から可視光である照射光を射出して周囲を明るく照らすものであり、この照明器具８３には、本発明の照明監視装置８４が取り付けられている。この照明監視装置８４は、自身の有する太陽電池により発電が可能なように、ランプ８２から射出された照射光を十分に受光できるように設置される。このとき、照射光と、それに対する太陽電池の受光面を直角に近くなるようにする程、発電効率が向上し好ましい。
【図面の簡単な説明】
【００９２】
【図１】第１の実施形態における照明監視装置の概略断面図である。
【図２】第１の実施形態における照明監視装置の構成ブロック図である。
【図３】第２の実施形態における照明監視装置の概略断面図である。
【図４】第３の実施形態における照明監視装置の概略断面図である。
【図５】第３の実施形態における照明監視装置の構成ブロック図である。
【図６】第４の実施形態における照明監視装置の概略断面図である。
【図７】第５の実施形態における照明監視装置の概略断面図である。
【図８】本発明の照明装置を例示した斜視図である。
【符号の説明】
【００９３】
１１，４１…照明監視装置、１２，４２…基板、１３，４３…ＩＣチップ、１３ａ，４３ａ…時間管理手段、１３ｂ，４３ｂ…判定手段、１４，４４…告知手段、１５，４５…太陽電池、４６…蓄電池、４７…充電回路、８１…照明装置、８２…照明器具、８３…ランプ、８４…照明監視装置
【図１】
2008235112.tif 000003
【図２】
2008235112.tif 000004
【図３】
2008235112.tif 000005
【図４】
2008235112.tif 000006
【図５】
2008235112.tif 000007
【図６】
2008235112.tif 000008
【図７】
2008235112.tif 000009
【図８】
2008235112.tif 000010